【手続補正書】
【提出日】平成25年1月4日(2013.1.4)
【手続補正１】
【補正対象書類名】特許請求の範囲
【補正対象項目名】全文
【補正方法】変更
【補正の内容】
【特許請求の範囲】
【請求項１】
相変化インクプリントヘッドリザーバに用いられるヒータであって、
少なくとも１つの第１インク供給経路開口を含み、該第１インク供給経路開口の少なくとも周囲において均一な厚さを有する第１絶縁層と、
前記第１絶縁層の少なくとも１つの前記第１インク供給経路開口と重なる少なくとも１つの第２インク供給経路開口を含み、該第２インク供給経路開口の少なくとも周囲において均一な厚さを有する第２絶縁層と、
を備え、
前記第１及び前記第２絶縁層は、ポリイミドを含む材料から形成され、
前記第１及び前記第２絶縁層の間に配置され、電力を受け取って熱を発生させるように構成され、前記第１及び前記第２インク供給経路開口を囲む抵抗加熱要素であって、均一幅トレース、非均一幅トレース、不連続フィルム、及び連続フィルムからなるグループから選択される構成であり、インコネル、アルミニウム合金、ＰＴＣ化合物、及びＮＴＣ化合物を含むグループから選択される材料で構成される抵抗加熱要素と、
アルミニウム、銅、アルミニウム合金、及び銅合金を含むグループから選択される材料で構成され、前記第１及び前記第２絶縁層の一方に接着され、前記第１及び前記第２インク供給経路開口と重なる少なくとも１つの第３インク供給経路開口を含む箔層と、
を備え、
前記第１絶縁層、前記第２絶縁層、前記抵抗加熱要素、及び前記箔層は、相変化インクリザーバアセンブリの第１及び第２熱分配プレートの間に接着されことを特徴とするヒータ。
【請求項２】
請求項１に記載のヒータにおいて、
前記第１絶縁層は、４つの前記第１インク供給経路開口を含み、
前記第２絶縁層は、４つの前記第２インク供給経路開口を含むことを特徴とするヒータ。
【請求項３】
相変化インク作像装置に用いられるリザーバアセンブリにおいて、
インク供給源から液体インクを受け取るように構成されたインク入力ポートを備える背面プレートと、
前記インク供給源から受け取った前記インクを保持し、プリントヘッドに前記インクを流通させるように構成されたインクタンクを備える前面プレートと、
背面プレートに接着された第１熱分配プレートと、
前面プレートに接着された第２熱分配プレートと、
前記第１及び前記第２熱分配プレートの間に接着されたヒータと、
を備え、
前記ヒータ、前記第１熱分配プレート、及び前記第２熱分配プレートは、それぞれ、前記インク入力ポートから前記インクタンクへ前記インクをガイドするように構成されたインク供給経路を形成するように重なったインク供給経路開口を備え、
前記ヒータは、
少なくとも前記インク供給経路開口の周囲において均一な厚さを有する第１絶縁層と、
少なくとも前記インク供給経路開口の周囲において均一な厚さを有する第２絶縁層と、
前記第１及び前記第２絶縁層の間に蛇行パターンで配置された抵抗加熱トレースであって、電流を受けて加熱用電流に変換するように構成され、前記インク供給経路開口の周囲に連続した周縁を形成して前記ヒータに関し厚さを均一にしたトレースリングを含む抵抗加熱トレースと、
を備えることを特徴とするリザーバアセンブリ。
【請求項４】
請求項３に記載のリザーバアセンブリにおいて、
前記第１及び前記第２絶縁層は、ポリイミドを含む材料で形成されることを特徴とするリザーバアセンブリ。
【請求項５】
請求項４に記載のリザーバアセンブリにおいて、
前記抵抗加熱トレースは、インコネルで形成されることを特徴とするリザーバアセンブリ。
【請求項６】
請求項５に記載のリザーバアセンブリにおいて、
前記ヒータは、さらに、前記第１及び前記第２絶縁層の一方に接着されたアルミ箔層を備えることを特徴とするリザーバアセンブリ。
【請求項７】
請求項６に記載のリザーバアセンブリにおいて、
前記背面プレートは、複数の前記インク入力ポートを備え、
前記前面プレートは、前記インク入力ポート毎に前記インクタンクを備え、
前記ヒータ、前記第１熱分配プレート、及び前記第２熱分配プレートは、それぞれの前記インク入力ポートから対応する前記インクタンクへ前記インクをガイドするように構成される前記インク供給経路を形成するために前記インク入力ポート毎にインク供給経路開口を備えることを特徴とするリザーバアセンブリ。
【請求項８】
請求項７に記載のリザーバアセンブリにおいて、
前記抵抗加熱トレースは、前記インク供給経路及び前記インクタンク内に収容された前記インクの溶融状態を維持するための十分な熱を発生させるように構成されていることを特徴とするリザーバアセンブリ。
【請求項９】
請求項８に記載のリザーバアセンブリにおいて、
前記抵抗加熱トレースは、前記インク供給経路及び前記インクタンク内に収容された前記インクを１００℃から１４０℃の間に維持するための十分な熱を発生させるように構成されていることを特徴とするリザーバアセンブリ。
【請求項１０】
請求項３に記載のリザーバアセンブリにおいて、
前記背面プレート及び前記第１熱分配プレートは、その間のフィルタチャンバを包囲し、
前記フィルタチャンバは、前記インク入力ポートを介して前記インクを受け取り前記第１熱分配プレートの前記インク供給経路開口へ前記インクを割り当てるように構成され、前記インク入力ポートと前記第１熱分配プレートの前記インク供給経路開口との間に配置された少なくとも１つのフィルタを備えることを特徴とするリザーバアセンブリ。
【請求項１１】
特定量の溶融相変化インクを収容する溶融インク容器と、
前記溶融相変化インクを像形成部材に噴出するように構成されたプリントヘッドと、
リザーバアセンブリと、
を備え、
前記リザーバアセンブリは、
前記溶融インク容器から液体インクを受け取るように構成されたインク入力ポートを備える背面プレートと、
前記溶融インク容器から受け取った前記インクを保持し、該インクを前記プリントへッドに流通させるように構成されたインクタンクを備える前面プレートと、
前記背面プレートに接着された第１熱分配プレートと、
前記前面プレートに接着された第２熱分配プレートと、
前記第１及び前記第２熱分配プレートの間に接着されたヒータと、
を備え、
前記ヒータ、前記第１熱分配プレート、及び前記第２熱分配プレートは、それぞれ、前記インク入力ポートから前記インクタンクへ前記インクをガイドするように構成されたインク供給経路を形成するように重なったインク供給経路開口を備え、
前記ヒータは、
少なくとも前記インク供給経路開口の周囲において均一な厚さを有する第１絶縁層と、
少なくとも前記インク供給経路開口の周囲において均一な厚さを有する第２絶縁層と、
前記第１及び前記第２絶縁層の間に蛇行パターンで配置された抵抗加熱トレースであって、電流を受け取って加熱用電流に変換するように構成され、前記インク供給経路開口の周囲に連続した周縁を形成して前記ヒータに関し厚さを均一にしたトレースリングを含む抵抗加熱トレースと、
を備えることを特徴とするプリンタ。
【請求項１２】
請求項１１に記載のプリンタにおいて、
前記第１及び前記第２絶縁層は、ポリイミドを含む材料で形成されることを特徴とするプリンタ。
【請求項１３】
請求項１２に記載のプリンタにおいて、
前記抵抗加熱トレースは、インコネルで形成されることを特徴とするプリンタ。
【請求項１４】
請求項１３に記載のプリンタにおいて、
前記ヒータは、さらに、前記第１及び前記第２絶縁層の一方に接着されたアルミ箔層を備えることを特徴とするプリンタ。
【請求項１５】
請求項１４に記載のプリンタにおいて、
前記背面プレートは、複数の前記インク入力ポートを備え、
前記前面プレートは、前記インク入力ポート毎に前記インクタンクを備え、
前記ヒータ、前記第１熱分配プレート、及び前記第２熱分配プレートは、それぞれの前記インク入力ポートから対応する前記インクタンクへ前記インクをガイドするように構成される前記インク供給経路を形成するために前記インク入力ポート毎にインク供給経路開口を備えることを特徴とするプリンタ。
【請求項１６】
請求項１５に記載のプリンタにおいて、
前記抵抗加熱トレースは、前記インク供給経路及び前記インクタンク内に収容された前記インクの溶融状態を維持するための十分な熱を発生させるように構成されていることを特徴とするプリンタ。